(57)【要約】      （修正有）【課題】薄型のディスク収納ケースであっても、ディスクの記録内容に関する情報を良好な視認性をもって表示することを可能にするインデックスカード及びインデックスカードを装着したディスク収納ケースを提供する。【解決手段】インデックスカード３０の一端縁３１ｄにラベル部３２を突設し、ラベル部３２を含むカード全体が上蓋１１の内面に収納される第１の装着位置と、ラベル部３２をケースの端壁から外方へ突出させた第２の装着位置とをインデックスカード３０が取り得るようにする。【選択図】図７
2006256667.tif 000002
【特許請求の範囲】
【請求項１】
一体または別体のディスクトレーを備えた下蓋と、該下蓋にヒンジ部を介して開閉可能に結合された、前記下蓋と一体または別体の上蓋とからなる扁平なディスク収納ケースのための、前記上蓋の内面に装着されるインデックスカードであって、
一端縁から突出するラベル部を備え、該ラベル部を含むカード全体が前記上蓋の内面に収納される第１の装着位置と、前記ラベル部を前記ケースの端壁から外方へ突出させた第２の装着位置とを取り得るように構成されてなることを特徴とするインデックスカード。
【請求項２】
請求項１記載のインデックスカードを装着可能なディスク収納ケースであって、前記インデックスカードの縁部に係合して前記第１および第２の装着位置にそれぞれ係止し得る第１および第２の係止手段を前記上蓋の内面に備えてなることを特徴とするディスク収納ケース。
【請求項３】
前記第１の係止手段が、前記上蓋の主板部の内面において該上蓋の開閉軸線に近接して該軸線とほぼ平行に形成された突条を含むことを特徴とする請求項２記載のディスク収納ケース。
【請求項４】
前記第２の係止手段が、前記上蓋の主板部の内面における両側壁側に形成された凸部を含むことを特徴とする請求項２または３記載のディスク収納ケース。
【請求項５】
前記第２の係止手段が、前記上蓋の主板部の内面における両側壁間のほぼ中央部に形成された凸部を含むことを特徴とする請求項２または３記載のディスク収納ケース。
【発明の詳細な説明】
【技術分野】
【０００１】
本発明は、ＣＤ，ＤＶＤ等の光ディスクを収納するディスク収納ケースのためのインデックスカードおよびディスク収納ケースに関するものである。
【背景技術】
【０００２】
従来、光ディスクを収納するディスク収納ケースとしては、ディスクトレーと、このディスクトレーを着脱可能に収容固定したプラスチック材料からなる下蓋と、この下蓋に開閉可能に軸支されたプラスチック材料からなる上蓋との３部品で構成された厚さ１０ｍｍのものが多用されている。
【０００３】
しかしながら、このような構成を有するケースは、ディスク自体の厚さ１．２ｍｍに対して十分な余裕があり、収納時に嵩張るという問題があるため、２部品で構成された厚さ４〜７ｍｍの薄型ケースや、紙とプラスチックとで構成された１部品からなる薄型ケース等が提案されている。
【０００４】
ところで、例えば２部品で構成されたディスク収納ケースは、通常の３部品で構成されたケースにおけるような、ディスクトレーと下蓋との間に挿入された、背ラベル部を備えた下インデックスカードを装着することが不可能であり、背ラベル部を備えていない上インデックスカードが上蓋の内面に装着されるのみとなるため、ケースを積み重ねたり、ラック等に収納したりする場合には、ケース内に収容されているディスクの記録内容に関する情報を視認することができず、したがってディスクの記録内容を知るためには、ケースを１枚ずつ取り出して、透明な上蓋を通して視認できる上インデックスカードによって確認するという不便さを有するものであった。
【０００５】
このため、例えば特許文献１には、背ラベル部を備えたインデックスカードの装着を可能にした２部品からなる薄型のディスク収納ケースが提案されているが、薄型のディスク収納ケースにおいては背ラベル部の幅が極めて狭いために、視認性の点で問題があった。
【特許文献１】特開２００２−８００８５号公報
【発明の開示】
【発明が解決しようとする課題】
【０００６】
上述の事情に鑑み、本発明は、薄型のディスク収納ケースが積み重ねられたり、ラック等に収納されたりしている場合であっても、ディスクの記録内容に関する情報を良好な視認性をもって表示することが可能なインデックスカードおよびこのインデックスカードを装着したディスク収納ケースを提供することを目的とするものである。
【課題を解決するための手段】
【０００７】
本発明によるインデックスカードは、一体または別体のディスクトレーを備えた下蓋と、この下蓋にヒンジ部を介して開閉可能に結合された、上記下蓋と一体または別体の上蓋とからなる扁平なディスク収納ケースのための、上記上蓋の内面に装着されるインデックスカードであって、
一端縁にこの端縁から突出するラベル部を備え、このラベル部を含むカード全体が上蓋の内面に収納される第１の装着位置と、前記ラベル部をケースの端壁から外方へ突出させた第２の装着位置とを取り得るように構成されてなることを特徴とするものである。
【０００８】
また、本発明は上記インデックスカードを装着可能なディスク収納ケースであって、上記インデックスカードの縁部に係合して上記第１および第２の装着位置にそれぞれ係止し得る第１および第２の係止手段を上記上蓋の内面に備えてなることを特徴とするものである。
【０００９】
上記第１の係止手段は、上蓋の主板部の内面において上蓋の開閉軸線に近接してこの軸線とほぼ平行に形成された突条を含んで構成することができる。あるいはこの第１の係止手段は、上蓋の両側壁の内面において上蓋の開閉軸線に近接して形成された突起を含んで構成することができる。
【００１０】
また、上記第２の係止手段は、上記上蓋の主板部の内面における両側壁側に、あるいは、両側壁間のほぼ中央部に形成された凸部を含んで構成することができる。
【発明の効果】
【００１１】
本発明のインデックスカードによれば、その第２の装着位置において、ラベル部をケースの端壁から外方へ突出させるように構成されているから、このラベル部にケース内のディスクの記録内容に関する情報を記載しておけば、ケースを積み重ねたり、ラック等に収納したりする場合においても、ケース内のディスクの記録内容に関する情報をそのままの状態で確認することができる。
【００１２】
また、本発明のインデックスカードによれば、その第１の装着位置において、上記ラベル部を含むカード全体が上蓋内に収納されるように構成されているから、このインデックスカードを装着したケースの流通段階においては第２の装着位置に収納しておくことにより、上記ラベル部が邪魔になる恐れはない。
【００１３】
さらに、上記第２の係止手段、上記上蓋の主板部の内面における両側壁側に、あるいは、両側壁間のほぼ中央部に形成された凸部を含んで構成されている場合には、組立て時にインデックスカードを第２の装着位置を越えて第１の装着位置に挿入する場合であっても、第２の係止手段を構成する凸部がインデックスカードに干渉して挿入を困難にする恐れもないものである。
【発明を実施するための最良の形態】
【００１４】
以下、図面を参照して本発明の実施の形態についた詳細に説明する。
【００１５】
図１は本発明によるインデックスカードの平面図を示し、このインデックスカード３０は、両側縁３０ｂ，３０ｂと前端縁３０ｃおよび後端縁３０ｄとによって形成されたほぼ正方形の本体部３１と、この本体部３１の後端縁３０ｄの一端から突出するラベル部３２とによって構成されている。
【００１６】
図２は、図１に示すインデックスカード３０が装着される、２部品で構成された薄型ディスク収納ケースを上蓋が開いた状態で示す平面図である。
【００１７】
このケース２０は、内面の中央部にディスククランパ２を備えてディスクトレーを兼ねる下蓋１と、この下蓋１に開閉可能に（回転軸線Ｌ）ヒンジ結合された透明な上蓋１１とからなり、下蓋１は、軸線Ｌ側の端部においてこの軸線Ｌに沿って延びる端壁３と、軸線Ｌ側とは反対側の端壁７と、両端壁３，７に直交する両側壁４，４とを備えており、端壁７には、インデックスカード３０のラベル部３２を端壁７の外方へ突出させるための浅い凹部６が形成されている。
【００１８】
上蓋１１は、主板部１２の軸線Ｌ側の端部においてこの軸線Ｌに沿って延びる背板１３と、この背板１３の両端において背板１３に直交する両側壁１４，１４とを備えている。
【００１９】
下蓋１と上蓋１１とのヒンジ部は、両側壁４，４の軸線Ｌ側の端部からそれらの延長方向に突出しかつ内面に短い軸を突設した下蓋１側のヒンジアーム５，５と、上記軸に嵌合する軸孔をそれぞれ備えてヒンジアーム５，５の内側に取り付けられる上蓋１１側の取付けリブ１５，１５とによって構成されている。
【００２０】
上蓋１１の両側壁１４，１４の内側には、上蓋１１の主板部１２の内面にインデックスカード３０を保持するための複数の保持突起１６が形成され、また主板部１２の内面には、背板１３に近接して、すなわち開閉軸線Ｌに近接して軸線Ｌとほぼ平行に延設されたインデックスカードストッパとしての突条１７が形成されている。
【００２１】
ここまでの構成は、従来の薄型ディスク収納ケースと同様であるが、図２に示すディスク収納ケース２０は、その主板部１２の内面に、突条１７に対して背板１３側とは反対側において両側壁１４，１４からそれぞれ内方へ延びる凸部１８，１８を備えている。これら凸部１８，１８は、図２の３−３線および４−４線に沿った拡大断面図である図３および図４から明らかなように、突条１７の面１７ａから背板１３側とは反対側に所定距離Ｄだけ離れた垂直面１８ａを形成するとともに、その上面１８ｂは、突条１７とほぼ同じ高さから内方へ向かうにつれて徐々に低くなって主板部１２の内面のレベルに達する斜面（テーパー面または円弧面）を形成している。上記所定距離Ｄは、図１に示すインデックスカード３０のラベル部３２の突出距離に対応する。
【００２２】
あるいは、凸部１８，１８に代えて、図２においては仮想線で、図２の５−５線に沿った拡大断面図である５図では実線で示すように、両側壁１４，１４間のほぼ中央部に形成された１個の凸部１８′であってもよく、この凸部１８′の上面１８′ｂも、突条１７とほぼ同じ高さの中央部から外方へ向かって徐々に低くなって主板部１２の内面のレベルに達する斜面（テーパー面または円弧面）を形成している。
【００２３】
上蓋１１の主板部１２の内面の背板１３側とは反対側の縁部１２ａには、インデックスカードストッパとしての複数の突起１９が縁部１２ａに沿って一列に整列している。
【００２４】
図６は、図２に示すディスク収納ケース２０の上蓋１１の内面に、図１に示すインデックスカード３０を装着した状態を示す平面図で、インデックスカード３０の本体部３１の先端縁３１ｃは突条１７の内側に近接し、またラベル部３２の外端縁３２ａは１個の突起１９Ｓの内側に近接した状態となって、この状態（第１の装着位置）では、突条１７および突起１９Ｓが第１の係止手段であるインデックスストッパを構成する。
【００２５】
次にインデックスカード３０を、図７に示すように、そのラベル部３２が蓋１１の主板部１２の縁部１２ａから外方へ突出した状態にすると、インデックスカード３０の本体部３１の先端縁３１ｃは凸部１８，１８の垂直面１８ａ，１８ａの内側に近接し、また本体部３１の後端縁３１ｄは突起１９Ｓを除く複数の突起１９の内側に近接した状態となって、この状態（第２の装着位置）では、凸部１８，１８と、突起１９Ｓを除く複数の突起１９とが第２の係止手段であるインデックスストッパを構成し、この状態でインデックスカード３０が上蓋１１の主板部１２の内面に保持される。
【００２６】
したがって、図８に示すように上蓋１１を閉じると、インデックスカード３０のラベル部３２がケース２０の端壁２０ａから突出するので、ケース２０を積み重ねたり、ラック等に収納したりする場合においても、ラベル部３２の記載内容から、ケース２０内のディスク４０の記録内容に関する情報をそのままの状態で確認することができる。
【００２７】
また、本実施の形態のインデックスカード３０によれば、図６に示す第１の装着位置において、ラベル部３２を含むカード全体が上蓋１１内に収納されるように構成されているから、このインデックスカード３０を装着したケース２０の流通段階においては、この第２の装着位置に収納しておくことにより、ラベル部３２が邪魔になる恐れはないものである。
【００２８】
さらに、凸部１８，１８が、上蓋１１の両側壁１４，１４側に、あるいは、上蓋１１の両側壁１４，１４間のほぼ中央部に形成され、しかも、図４あるいは図５から明らかなように、それらの上面１８ｂ、１８′ｂが突条１７とほぼ同じ高さから徐々に低くなって主板部１２の内面のレベルに達する斜面を形成していることにより、組立て時にインデックスカード３０を第２の装着位置を越えて第１の装着位置に挿入する場合であっても、インデックスカード３０を凸部１８，１８あるいは１８′を避けるように若干湾曲させることにより、インデックスカード３０の本体部３１の先端縁３１ｃが凸部１８，１８あるいは１８′に当接する恐れはなくなるから、インデックスカード３０の挿入も容易である。
【００２９】
なお、凸部１８，１８が上蓋１１の両側壁１４，１４側に形成されている場合、インデックスカード３０の本体部３１に、その両側縁３１ｂ、３１ｂ側が中央部側よりも上蓋１１の主板部１２の裏面に接近するように予め湾曲させておけば、インデックスカード３０の本体部３１の先端縁３１ｃを確実に凸部１８，１８に係合させることができる。
【００３０】
同様に、凸部１８′が上蓋１１の両側壁１４，１４間の中央部に形成されている場合、インデックスカード３０の本体部３１に、その中央部側が両側縁３１ｂ、３１ｂ側よりも上蓋１１の主板部１２の裏面に接近するように予め湾曲させておけば、インデックスカード３０の本体部３１の先端縁３１ｃを確実に凸部１８′に係合させることができる。
【００３１】
さらに、本体部３１の後端縁３１ｄにおけるラベル部３２の位置が互いに異なる複数のインデックスカード３０を用意することにより、複数個のケース２０を重ね合わせたときのラベル部３２の視認性をさらに向上させることができる。
【００３２】
なお、本発明は、上述した２部品からなるディスク収納ケースのみでなく、下蓋とは別体のディスクトレーを備えた３部品からなるディスク収納ケース、またはディスクトレーを兼ねる下蓋が上蓋に一体に連接された1部品からなるディスク収納ケースにも適用可能である。
【図面の簡単な説明】
【００３３】
【図１】本発明によるインデックスカードの実施の形態を示す平面図である。
【図２】図１のインデックスカードが装着されるディスク収納ケースを上蓋が開いた状態で示す平面図である。
【図３】図２の３−３線に沿った拡大断面図である。
【図４】図２の４−４線に沿った拡大断面図である。
【図５】図２の５−５線に沿った拡大断面図である。
【図６】図１のインデックスカードが第１の装着位置にある状態を示す、図２に対応する平面図である。
【図７】図１のインデックスカードが第２の装着位置にある状態を示す、図２に対応する平面図である。
【図８】図７に示す状態から上蓋が閉じられたときのディスク収納ケースの平面図である。
【符号の説明】
【００３４】
１    下蓋
１１    上蓋
１２    上蓋の主板部
１３    上蓋の背板
１４    上蓋の側壁
１７    突条
１８，１８′    凸部
１９，１９Ｓ    突起
２０    ディスク収納ケース
３０    インデックスカード
３１    インデックスカードの本体部
３２    インデックスカードのラベル部
４０    ディスク
Ｌ    開閉軸線
【図１】
2006256667.tif 000003
【図２】
2006256667.tif 000004
【図３】
2006256667.tif 000005
【図４】
2006256667.tif 000006
【図５】
2006256667.tif 000007
【図６】
2006256667.tif 000008
【図７】
2006256667.tif 000009
【図８】
2006256667.tif 000010